(57)【要約】【課題】黄色の輝度及び彩度をより高めることができる表示装置を提供する。【解決手段】表示装置は、透過させる光のスペクトルのピークがそれぞれ、レッドグリーンＲＧ、ブルーグリーンＢＧ１、赤色Ｒ１、青色Ｂ１であるカラーフィルタを有する第１副画素１１、第２副画素１２、第３副画素１３、第４副画素１４を備え、第１副画素１１、第２副画素１２、第３副画素１３及び第４副画素１４は、カラーフィルタを透過する光を反射する反射電極を有し、第１副画素１１と第３副画素１３及び第２副画素１２と第４副画素１４は、Ｘ方向に隣接し、第１副画素１１と第２副画素１２は、Ｙ方向に隣接し、第１副画素１１と第３副画素１３、第１副画素１１と第４副画素１４、第２副画素１２と第３副画素１３及び第２副画素１２と第４副画素１４は、Ｙ方向に隣接しない。【選択図】図３
2019090916.tif 000002
【特許請求の範囲】
【請求項１】
透過させる光のスペクトルのピークが赤色寄りの緑色のスペクトルである第１のカラーフィルタを有する第１副画素と、
前記ピークが青色寄りの緑色のスペクトルである第２のカラーフィルタを有する第２副画素と、
前記ピークが赤色のスペクトルである第３のカラーフィルタを有する第３副画素と、
前記ピークが青色のスペクトルである第４のカラーフィルタを有する第４副画素とを備え、
前記第１副画素、前記第２副画素、前記第３副画素及び前記第４副画素はそれぞれ、カラーフィルタを透過する光を反射する反射電極を有し、
前記第１副画素と前記第３副画素は、第１方向に隣接し、
前記第２副画素と前記第４副画素は、前記第１方向に隣接し、
前記第１副画素と前記第２副画素は、第２方向に隣接し、
前記第１副画素と前記第３副画素は、前記第２方向に隣接せず、
前記第１副画素と前記第４副画素は、前記第２方向に隣接せず、
前記第２副画素と前記第３副画素は、前記第２方向に隣接せず、
前記第２副画素と前記第４副画素は、前記第２方向に隣接しない
表示装置。
【請求項２】
前記第１副画素と前記第４副画素は、前記第１方向に隣接し、
前記第２副画素と前記第３副画素は、前記第１方向に隣接し、
前記第１副画素と前記第２副画素は、前記第１方向に隣接しない
請求項１に記載の表示装置。
【請求項３】
前記第１副画素、前記第２副画素、前記第３副画素、前記第４副画素はそれぞれ複数あり、
１つの前記第１副画素と１つの前記第３副画素は、第１方向に隣接し、
１つの前記第２副画素と１つの前記第４副画素は、前記第１方向に隣接し、
前記１つの前記第１副画素と前記１つの前記第２副画素は、前記第２方向に隣接し、
前記１つの前記第１副画素と他の１つの前記第４副画素は、前記第１方向に隣接し、
前記１つの前記第２副画素と他の１つの前記第３副画素は、前記第１方向に隣接し、
前記第１副画素と前記第２副画素は、前記第１方向に隣接しない
請求項１に記載の表示装置。
【請求項４】
前記第３副画素と前記第４副画素は、前記第１方向に隣接しない
請求項３に記載の表示装置。
【請求項５】
前記第１副画素、前記第２副画素、前記第３副画素、前記第４副画素はそれぞれ複数あり、
１つの前記第１副画素と１つの前記第３副画素は、第１方向に隣接し、
１つの前記第２副画素と１つの前記第４副画素は、前記第１方向に隣接し、
前記１つの前記第１副画素と前記１つの前記第２副画素は、前記第２方向に隣接し、
前記１つの前記第１副画素と他の１つの前記第２副画素は、前記第１方向に隣接し、
前記１つの前記第３副画素と前記１つの前記第４副画素は、前記第２方向に隣接し、
前記第１副画素と前記第４副画素は、前記第１方向に隣接せず、
前記第２副画素と前記第３副画素は、前記第１方向に隣接せず、
前記第３副画素と前記第４副画素は、前記第１方向に隣接しない
請求項１に記載の表示装置。
【請求項６】
前記第１副画素と、前記第２副画素との組み合わせで緑色を再現する
請求項１から５のいずれか一項に記載の表示装置。
【請求項７】
前記第１副画素と、第２副画素と、第３副画素との組み合わせで黄色を再現する
請求項１から６のいずれか一項に記載の表示装置。
【請求項８】
前記第３副画素及び前記第４副画素は、前記第１副画素及び前記第２副画素より大きい
請求項１から７のいずれか一項に記載の表示装置。
【請求項９】
前記第３副画素及び前記第４副画素は、前記第２方向の幅が前記第１副画素及び前記第２副画素より大きい
請求項２に記載の表示装置。
【請求項１０】
前記第１副画素、前記第２副画素、前記第３副画素、前記第４副画素のうち３つを組み合わせた領域が正方形状である
請求項１から３のいずれか一項又は請求項５に記載の表示装置。
【請求項１１】
前記第１副画素、前記第２副画素、前記第３副画素、前記第４副画素のうち前記第１方向に隣接する２つを組み合わせた領域が正方形状である
請求項４に記載の表示装置。
【発明の詳細な説明】
【技術分野】
【０００１】
本発明は、表示装置に関する。
【背景技術】
【０００２】
外光を反射してカラー画像を表示する所謂反射式の表示装置が知られている（例えば特許文献１）。
【先行技術文献】
【特許文献】
【０００３】
【特許文献１】特開２０１０−９７１７６号公報
【発明の概要】
【発明が解決しようとする課題】
【０００４】
反射式の表示装置は、一般的に、赤色（Ｒ）、緑色（Ｇ）、青色（Ｂ）の副画素からの反射光を合成してこれ以外の色の光を出力する。しかしながら、従来、赤色（Ｒ）と緑色（Ｇ）の反射光の合成によって得られていた黄色はくすんで見え、求められる輝度及び彩度を得ることが困難であった。
【０００５】
本発明は、上記の課題に鑑みてなされたもので、黄色の輝度及び彩度をより高めることができる表示装置を提供することを目的とする。
【課題を解決するための手段】
【０００６】
本発明の一態様による表示装置は、透過させる光のスペクトルのピークが赤色寄りの緑色のスペクトルである第１のカラーフィルタを有する第１副画素と、前記ピークが青色寄りの緑色のスペクトルである第２のカラーフィルタを有する第２副画素と、前記ピークが赤色のスペクトルである第３のカラーフィルタを有する第３副画素と、前記ピークが青色のスペクトルである第４のカラーフィルタを有する第４副画素とを備え、前記第１副画素、前記第２副画素、前記第３副画素及び前記第４副画素はそれぞれ、カラーフィルタを透過する光を反射する反射電極を有し、前記第１副画素と前記第３副画素は、第１方向に隣接し、前記第２副画素と前記第４副画素は、前記第１方向に隣接し、前記第１副画素と前記第２副画素は、第２方向に隣接し、前記第１副画素と前記第３副画素は、前記第２方向に隣接せず、前記第１副画素と前記第４副画素は、前記第２方向に隣接せず、前記第２副画素と前記第３副画素は、前記第２方向に隣接せず、前記第２副画素と前記第４副画素は、前記第２方向に隣接しない。
【図面の簡単な説明】
【０００７】
【図１】図１は、１つの副画素が有する主要構成を模式的に示す斜視図である。
【図２】図２は、赤、赤寄りの緑、緑、青寄りの緑及び青のスペクトルの一例を示す図である。
【図３】図３は、表示装置が有する副画素の形状及び位置関係並びに副画素の各々が有するカラーフィルタの一例を示す図である。
【図４】図４は、図４は、本実施形態の副画素を用いた再現色と、入力画像を構成する画像信号として入力階調値と、出力に際して用いられる副画素との関係を示す図である。
【図５】図５は、本実施形態の表示装置によって再現される黄色と、カラーフィルタが透過させる光のスペクトルのピークとの対応関係を示す模式的な色度図である。
【図６】図６は、本実施形態と比較例の色再現性をＬ＊ａ＊ｂ＊色空間で表した場合の一例を示す図である。
【図７】図７は、第１副画素、第３副画素及び第４副画素を用いて再現可能な色の範囲と、第２副画素、第３副画素及び第４副画素を用いて再現可能な色の範囲との関係を示す模式的な色度図である。
【図８】図８は、第１副画素、第３副画素及び第４副画素を有する画素と第２副画素、第３副画素及び第４副画素を有する画素とによる色再現で行われるサブピクセルレンダリングの一例を示す模式図である。
【図９】図９は、図３とは異なる副画素の形状及び位置関係並びに副画素の各々が有するカラーフィルタの一例を示す図である。
【図１０】図１０は、第１副画素、第２副画素及び第３副画素を有する画素と第１副画素、第２副画素及び第４副画素を有する画素とによる色再現で行われるサブピクセルレンダリングの一例を示す模式図である。
【図１１】図１１は、図３及び図９とは異なる副画素の形状及び位置関係並びに副画素の各々が有するカラーフィルタの一例を示す図である。
【図１２】図１２は、図３、図９及び図１１とは異なる副画素の形状及び位置関係並びに副画素の各々が有するカラーフィルタの一例を示す図である。
【図１３】図１３は、第１副画素及び第３副画素を有する画素と第２副画素及び第４副画素を有する画素とによる色再現で行われるサブピクセルレンダリングの一例を示す模式図である。
【図１４】図１４は、面積階調のために副画素を複数の面積領域に区分けした場合の一例を示す図である。
【図１５】図１５は、表示装置が備える回路構成例を示す図である。
【図１６】図１６は、１つの画素が３つの副画素を有する構成とする場合のマルチプレクサの例を示す図である。
【図１７】図１７は、１つの画素が２つの副画素を有する構成とする場合のマルチプレクサの例を示す図である。
【図１８】図１８は、分割画素の概略断面図である。
【図１９】図１９は、ＭＩＰ方式を採用した画素の回路構成の一例を示すブロック図である。
【図２０】図２０は、ＭＩＰ方式を採用した画素の動作説明に供するタイミングチャートである。
【図２１】図２１は、信号処理回路の構成例を示すブロック図である。
【図２２】図２２は、複数の表示装置が並べられた場合の外光と、反射光と、ユーザの視点との関係の一例を示す模式図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１は、１つの副画素１５が有する主要構成を模式的に示す斜視図である。図２は、赤、赤寄りの緑、緑、青寄りの緑及び青のスペクトルの一例を示す図である。副画素１５は、カラーフィルタ２０、反射電極４０等を有する。カラーフィルタ２０は、光の透過性を有する部材である。カラーフィルタ２０は、外光ＩＬのうち透過させる光ＯＬのスペクトルのピークが予め定められている。具体的には、カラーフィルタ２０が透過させる光ＯＬのスペクトルのピークは、赤色寄りの緑色（例えば、レッドグリーンＲＧ１）のスペクトル、青色寄りの緑色（例えば、ブルーグリーンＢＧ１）のスペクトル、赤色（例えば、赤色Ｒ１）のスペクトル、青色（例えば、青色Ｂ１）のスペクトルのいずれかである。反射電極４０は、カラーフィルタ２０を透過する光ＯＬを反射する電極である。図２で例示するように、レッドグリーンＲＧ１のスペクトルのピーク及びブルーグリーンＢＧ１のスペクトルのピークは、緑色Ｇとして視認される光のスペクトルのピークと重複する部分を有する。また、レッドグリーンＲＧ１のスペクトルは、ブルーグリーンＢＧ１に比して赤色ＢＧに寄っている。また、ブルーグリーンＢＧ１のスペクトルは、レッドグリーンＲＧ１に比して青色Ｂ１に寄っている。
【００１０】
カラーフィルタ２０と反射電極４０との間には、液晶層３０が設けられている。液晶層３０は、多数の液晶分子を含んでいる。液晶分子は、反射電極４０等から与えられる電界に応じて配向が変化する。このため、液晶分子の配向に応じてカラーフィルタ２０と反射電極４０との間を通過する光ＯＬの透過の度合いが変化する。また、カラーフィルタ２０を挟んで液晶層３０の反対側には、例えば反射電極４０側からの光ＯＬの散乱方向等を調節するための調光層９０が設けられていてもよい。
【００１１】
図３は、表示装置が有する副画素１５の形状及び位置関係並びに副画素１５の各々が有するカラーフィルタ２０の一例を示す図である。表示装置は、第１副画素１１、第２副画素１２、第３副画素１３及び第４副画素１４を有する。表示装置には、第１副画素１１、第２副画素１２、第３副画素１３及び第４副画素１４がそれぞれ複数ある。第１副画素１１は、第１のカラーフィルタ２０ＲＧ１を有する。第２副画素１２は、第２のカラーフィルタ２０ＢＧ１を有する。第３副画素１３は、第３のカラーフィルタ２０Ｒ１を有する。第４副画素１４は、第４のカラーフィルタ２０Ｂ１を有する。第１のカラーフィルタ２０ＲＧ１が透過させる光のスペクトルのピークは、赤色寄りの緑色（レッドグリーンＲＧ１）のスペクトルである。第２のカラーフィルタ２０ＢＧ１が透過させる光のスペクトルのピークは、青色寄りの緑色（ブルーグリーンＢＧ１）のスペクトルである。第３のカラーフィルタ２０Ｒ１が透過させる光のスペクトルのピークは、赤色（赤色Ｒ１）のスペクトルである。第４のカラーフィルタ２０Ｂ１が透過させる光のスペクトルのピークは、青色（青色Ｂ１）のスペクトルである。
【００１２】
本実施形態の説明では、透過させる光ＯＬのスペクトルのピークの差異を区別しない場合、カラーフィルタ２０と記載する。透過させる光ＯＬのスペクトルのピークの差異を区別する場合、例えば第１のカラーフィルタ２０ＲＧ１、第２のカラーフィルタ２０ＢＧ１、第３のカラーフィルタ２０Ｒ１、第４のカラーフィルタ２０Ｂ１のように区別して記載する。カラーフィルタ２０を透過した光ＯＬは、カラーフィルタ２０が透過させる光のスペクトルのピークに対応した色の光として視認される。また、副画素１５という記載は、それぞれが有するカラーフィルタ２０の色で第１副画素１１、第２副画素１２、第３副画素１３及び第４副画素１４等を区別しない記載である。図３では図示を省略しているが、第１副画素１１、第２副画素１２、第３副画素１３及び第４副画素１４はそれぞれ、図１に示すように反射電極４０を有している。
【００１３】
図３等を参照した説明において、副画素１５が並ぶ方向のうち一方向（第１方向）を、Ｘ方向とする。また、副画素１５が並ぶ方向のうちＸ方向に直交する方向（第２方向）を、Ｙ方向とする。また、Ｘ方向及びＹ方向に直交する方向を、Ｚ方向とする。また、副画素行といった場合、Ｘ方向に沿って並ぶ複数の副画素１５をさす。また、副画素列といった場合、Ｙ方向に沿って並ぶ複数の副画素１５をさす。なお、Ｘ方向とＹ方向は、直交以外の角度で交差した構成も採用可能である。
【００１４】
図３に示す例では、副画素１５の形状がＹ方向を長手方向とする矩形状であるが、これは副画素１５のＸ−Ｙ平面形状の一例であってこれに限られるものでなく、適宜変更可能である。
【００１５】
本実施形態の表示装置では、例えば図３に示すように、１つの第１副画素１１と１つの第３副画素１３は、Ｘ方向に隣接する。また、１つの第２副画素１２と１つの第４副画素１４は、Ｘ方向に隣接する。また、当該１つの第１副画素１１と当該１つの第２副画素１２は、Ｙ方向に隣接する。また、第１副画素１１と第３副画素１３は、Ｙ方向に隣接しない。また、第１副画素１１と第４副画素１４は、Ｙ方向に隣接しない。また、第２副画素１２と第３副画素１３は、Ｙ方向に隣接しない。また、第２副画素１２と第４副画素１４は、Ｙ方向に隣接しない。
【００１６】
また、図３に示す例では、当該１つの第１副画素１１と他の１つの第４副画素１４は、Ｘ方向に隣接する。また、当該１つの第２副画素１２と他の１つの第３副画素１３は、Ｘ方向に隣接する。また、第１副画素１１と第２副画素１２は、Ｘ方向に隣接しない。
【００１７】
また、図３に示す例では、当該１つの第３副画素１３と、上記の１つ及び他の１つとは異なる第４副画素１４は、Ｘ方向に隣接する。また、図３に示す例では、第１副画素１１、第２副画素１２、第３副画素１３、第４副画素１４のうち３つを組み合わせた領域が正方形状である。具体的には、副画素１５のうちＸ方向に連続する３つを組み合わせた領域が正方形状である。このような正方形状の領域に含まれる複数の副画素１５を１つの画素とするようにしてもよい。
【００１８】
図３に示す例では、画素行において、第３副画素１３、第１副画素１１又は第２副画素１２の一方、第４副画素１４、第３副画素１３、第１副画素１１又は第２副画素１２の他方、第４副画素１４、の並びが繰り返される。また、第３副画素１３が連続して並ぶ画素列と、第１副画素１１又は第２副画素１２の一方と他方とが交互に並ぶ画素列と、第４副画素１４が連続して並ぶ画素列とがＸ方向に並ぶ。
【００１９】
図４は、本実施形態の副画素を用いた再現色と、入力画像を構成する画像信号として入力階調値と、出力に際して用いられる副画素１５との関係を示す図である。入力画像を構成する画像信号として入力階調値（以下、入力階調値）の階調値が（Ｒ，Ｇ，Ｂ）＝（ｎ，ｎ，ｎ）である場合、再現色は白色となり、第１副画素１１、第２副画素１２、第３副画素１３及び第４副画素１４が出力に用いられる。入力階調値が（Ｒ，Ｇ，Ｂ）＝（ｎ，０，０）である場合、再現色は赤色となり、第３副画素１３が出力に用いられる。入力階調値が（Ｒ，Ｇ，Ｂ）＝（０，ｎ，０）である場合、再現色は緑色となり、第１副画素１１及び第２副画素１２が出力に用いられる。入力階調値が（Ｒ，Ｇ，Ｂ）＝（０，０，ｎ）である場合、再現色は青色となり、第４副画素１４が出力に用いられる。入力階調値が（Ｒ，Ｇ，Ｂ）＝（ｍ，ｍ，０）である場合、再現色は黄色となり、第１副画素１１、第２副画素１２及び第３副画素１３が出力に用いられる。入力階調値が（Ｒ，Ｇ，Ｂ）＝（０，ｍ，ｍ）である場合、再現色はシアンとなり、第１副画素１１、第２副画素１２及び第４副画素１４が出力に用いられる。入力階調値が（Ｒ，Ｇ，Ｂ）＝（ｍ，０，ｍ）である場合、再現色はマゼンタとなり、第３副画素１３及び第４副画素１４が出力に用いられる。このように、本実施形態の表示装置は、第１副画素１１と、第２副画素１２と、第３副画素１３との組み合わせで黄色を再現する。また、本実施形態の表示装置は、第１副画素１１と、第２副画素１２との組み合わせで緑色を再現する。また、本実施形態の表示装置は、第１副画素１１と、第２副画素１２と、第４副画素１４との組み合わせでシアンを再現する。また、本実施形態の表示装置は、第３副画素１３と、第４副画素１４との組み合わせでマゼンタを再現する。また、本実施形態の表示装置は、第３副画素１３で赤色を再現する。また、本実施形態の表示装置は、第４副画素１４で青色を再現する。
【００２０】
図５は、本実施形態の表示装置によって再現される黄色と、カラーフィルタ２０が透過させる光ＯＬのスペクトルのピークとの対応関係を示す模式的な色度図である。表示装置に求められる所定の輝度及び彩度の黄色ＹをＹで示す。また、従来の表示装置が有する従来の赤色（Ｒ）、従来の緑色（Ｇ）、従来の青色（Ｂ）の３色の副画素で再現可能な色を示す色空間が、図５におけるＲ，Ｇ，Ｂの３つの頂点を有する実線の三角形で表されるとする。このような従来の表示装置では、黄色Ｙを再現することができない。特に表示装置が反射型である場合、表示面に再現可能な色空間の大きさは透過型の色空間の大きさよりも小さい。このようにＲＧＢで形成する色空間が小さい従来の表示装置の場合、再現可能な黄色の輝度及び彩度は、白色点（Ｗ）に対して従来の赤色（Ｒ）と従来の緑色（Ｇ）を結ぶ直線上の輝度及び彩度を超えることができない。結果として、黄色Ｙを再現するためには輝度及び彩度の少なくとも一方が不足する。仮に、従来の表示装置が、従来の赤色（Ｒ）、従来の緑色（Ｇ）、従来の青色（Ｂ）に白色（Ｗ）を加えた４色の副画素を有していたとしても、白色（Ｗ）の副画素で黄色Ｙの彩度を高めることは困難である。
【００２１】
仮に、従来のように３色の副画素で黄色Ｙを再現しようとすると、従来の赤色（Ｒ）と従来の緑色（Ｇ）を、黄色Ｙが再現可能な赤色（例えば、Ｒ１）と緑色（例えば、Ｇ１）にシフトさせることが考えられる。しかしながら、かかるシフトに伴って白色点（Ｗ）が黄色Ｙ寄りにシフトしてしまう。すなわち、この種のカラーシフトを伴う従来の表示装置では、全ての副画素を点灯した場合の再現色（すなわち白色）が全体的に黄色を帯びることになり、色再現性が変化してしまう。図５では、模式的に、黄色Ｙ寄りにシフトする前の白色点（Ｗ）を黒点で示している。また、黄色Ｙ寄りにシフトした後の白色点を、符号Ｗ１が付された破線の丸で示している。また、黄色Ｙに合わせて赤色（例えば、Ｒ１）と緑色（例えば、Ｇ１）を設定するということは、これらのカラーフィルタの色をより濃くするということである。この結果、カラーフィルタ２０の光の透過効率が低くなり、輝度が下がる。すなわち、暗い黄色になってしまう。
【００２２】
また、従来の表示装置が有する画素に黄色の副画素を追加することで黄色Ｙに対応した輝度及び彩度を確保することが考えられる。しかし、この場合も、全ての副画素を点灯した場合の再現色が全体的に黄色を帯びることになり、色再現性が変化してしまう。
【００２３】
これに対し、本実施形態では、第２副画素１２が第２のカラーフィルタ２０ＢＧ１を有する。第２のカラーフィルタ２０ＢＧ１が透過させる光のスペクトルのピークは、青色寄りの緑色（ブルーグリーンＢＧ１）のスペクトルである。また、第４のカラーフィルタ２０Ｂ１が透過させる光のスペクトルのピークは、青色（青色Ｂ１）のスペクトルである。このため、本実施形態では、第２副画素１２と第４副画素１４で青色成分を確保することで、白色点（Ｗ）が黄色Ｙ寄りにシフトすることが抑制される。また、第１副画素１１と、第２副画素１２と、第３副画素１３との組み合わせで黄色を再現する。すなわち、レッドグリーンＲＧ１とブルーグリーンＢＧ１と赤色Ｒ１との合成色が黄色Ｙとなるように、第１のカラーフィルタ２０ＲＧ１、第２のカラーフィルタ２０ＢＧ１及び第３のカラーフィルタ２０Ｒ１がそれぞれ透過させる光のスペクトルのピークが設定されている。これによって、４つの副画素１５のうち、３つの副画素１５を用いて黄色Ｙが再現される。従って、従来の赤色（Ｒ）、従来の緑色（Ｇ）、従来の青色（Ｂ）の３色の副画素のうち２色（ＲＧ）を用いる場合に比して、黄色Ｙの再現のために用いる副画素１５の領域をより大きくしやすくなる。すなわち、本実施形態によれば、第１副画素１１と第２副画素１２と第３副画素１３を合わせたより領域が黄色Ｙの再現に割り当てられる。このため、黄色Ｙの輝度及び彩度をより確実に得られる。また、シアンの輝度及び彩度もより高まる。また、白色（Ｗ）の副画素を有する構成に比して赤色（Ｒ１）に対応する第３のカラーフィルタ２０Ｒ１を有する第３副画素１３をより大きくしやすくなり、原色の再現性をより高めやすくなる。
【００２４】
また、透過させる光のスペクトルのピークが赤色寄りの緑色（例えば、レッドグリーンＲＧ１）である第１のカラーフィルタ２０ＲＧ１による光の透過効率は、非常に高くしやすい。このため、第１のカラーフィルタ２０ＲＧ１を有する第１副画素１１を黄色Ｙの再現に用いることで、黄色Ｙの輝度及び彩度をより確実に得られる。
【００２５】
なお、本実施形態のように反射電極４０を有する表示装置では、反射電極４０による光ＯＬの反射率及びコントラストは一定である。一方、表示装置が出力する画像の色の見栄えは、外光ＩＬの光源色、照度に依存する。このため、例えば明るい環境下で得られる外光ＩＬであれば非常に見栄えが良くなりやすい。一方、暗い環境で得られる外光ＩＬでは視認性を確保することが比較的困難になる。また、カラーフィルタ２０は、透過させる光ＯＬのスペクトルのピークに関わらず完全に外光ＩＬを透過させるものでなく、少なくとも外光ＩＬの一部分を吸収する。また、カラーフィルタ２０により再現色を濃くしようとすると、外光ＩＬのうち吸収される割合を高めてしまうことになる。従って、反射電極４０による光ＯＬの反射で画像を出力する表示装置では、カラーフィルタ２０が透過させる光ＯＬのスペクトルのピークの設定と、それぞれピークが異なるカラーフィルタ２０の面積比率によって彩度と輝度のバランスを取る必要がある。言い換えれば、反射型の表示装置では、光源を有する表示装置では可能な、光源の調整による色及び輝度の調整が極めて困難である。このような前提を有する反射型の表示装置であっても、本実施形態を適用することにより、黄色Ｙの輝度及び彩度をより確実に得られる。本実施形態による反射型の表示装置では、フロントライト等、人工的な光源を利用することもできる。この場合、人工的な光源から得られる光の色味等を特に調整することなく、黄色Ｙの輝度及び彩度をより確実に得られる。
【００２６】
本実施形態では、求められる白色点Ｗ及び黄色Ｙの輝度及び彩度に応じて、第１のカラーフィルタ２０ＲＧ１、第２のカラーフィルタ２０ＢＧ１、第３のカラーフィルタ２０Ｒ１、第４のカラーフィルタ２０Ｂ１の面積比と、レッドグリーンＲＧ１、ブルーグリーンＢＧ１、赤色Ｒ１、青色Ｂ１のスペクトルとが決定されている。なお、図５では、本実施形態の青色Ｂ１と従来の青色（Ｂ）が同一であるが、異なっていてもよい。また、図５では、本実施形態の赤色Ｒ１と従来の赤色（Ｒ）が同一であるが、異なっていてもよい。また、図５では、レッドグリーンＲＧ１とブルーグリーンＢＧ１との組み合わせで従来の緑色（Ｇ）が再現されるようになっているが、レッドグリーンＲＧ１とブルーグリーンＢＧ１との組み合わせで再現される緑色は従来の緑色（Ｇ）と異なってもよい。
【００２７】
図６は、本実施形態と比較例の色再現性をＬ＊ａ＊ｂ＊色空間で表した場合の一例を示す図である。なお、図６におけるＳＮＡＰは、Specifications  for  Newsprint  Advertising  Productionで規定されている黄色、緑色、シアン、青色、マゼンタ、赤色を示す。また、比較例としての表示装置は、従来の赤色（Ｒ）、従来の緑色（Ｇ）、従来の青色（Ｂ）に白色（Ｗ）を加えた４色の副画素を有する所謂ＲＧＢＷの反射型の表示装置である。図１から図５を参照して説明した本実施形態では、比較例で再現可能な黄色ＯＹに比して、より明るく鮮やかな黄色Ｙを再現することができる。特に、広告の表示等で明るく鮮やかな黄色が表示されることが求められるが、本実施形態は、黄色Ｙを再現することでかかる要求に応じることが可能となる。
【００２８】
図７は、第１副画素１１、第３副画素１３及び第４副画素１４を用いて再現可能な色の範囲と、第２副画素１２、第３副画素１３及び第４副画素１４を用いて再現可能な色の範囲との関係を示す模式的な色度図である。第１副画素１１、第３副画素１３及び第４副画素１４を用いて再現可能な色の範囲は、レッドグリーンＲＧ１、赤色Ｒ１及び青色Ｂ１のスペクトルに基づいて定められる色の範囲（範囲Ｆ１＋範囲Ｆ２）である。第２副画素１２、第３副画素１３及び第４副画素１４を用いて再現可能な色の範囲は、ブルーグリーンＢＧ１、赤色Ｒ１及び青色Ｂ１のスペクトルに基づいて定められる色の範囲（範囲Ｆ１＋範囲Ｆ３）である。範囲Ｆ１は、第１副画素１１、第３副画素１３及び第４副画素１４を用いて再現可能な色の範囲と、第２副画素１２、第３副画素１３及び第４副画素１４を用いて再現可能な色の範囲との重複範囲である。範囲Ｆ２は、第１副画素１１、第３副画素１３及び第４副画素１４を用いて再現可能な色の範囲のうち、第２副画素１２、第３副画素１３及び第４副画素１４を用いて再現可能な色の範囲と重複しない範囲である。範囲Ｆ３は、第２副画素１２、第３副画素１３及び第４副画素１４を用いて再現可能な色の範囲のうち、第１副画素１１、第３副画素１３及び第４副画素１４を用いて再現可能な色の範囲と重複しない範囲である。
【００２９】
第１副画素１１又は第２副画素１２のいずれか一方と、第３副画素１３と、第４副画素１４とを組み合わせることで、色の範囲Ｆ１に含まれる色を再現することができる。ここで、色の範囲Ｆ１は、白色点（Ｗ）を含む。従って、第１副画素１１又は第２副画素１２のいずれか一方と、第３副画素１３と、第４副画素１４とを有する１つの画素は、当該１つの画素で白色を再現することができる。
【００３０】
一方、第１副画素１１を用いない場合、範囲Ｆ２に含まれる色を再現することができない。また、第２副画素１２を用いない場合、範囲Ｆ３に含まれる色を再現することができない。また、レッドグリーンＲＧ１、ブルーグリーンＢＧ１、赤色Ｒ１及び青色Ｂ１のスペクトルに基づいて定められる色の範囲のうち、範囲Ｆ１，Ｆ２，Ｆ３のいずれにも重ならない範囲Ｆ４に含まれる色を再現する場合、第１副画素１１と第２副画素１２の両方が必要になる。そこで、１つの画素が第１副画素１１又は第２副画素１２のいずれか一方と、第３副画素１３と、第４副画素１４とを有する構成とした場合、隣接する２つの画素の一方に第１副画素１１を配置し、他方に第２副画素１２を配置する。この配置によれば、隣接する２つが有する副画素１５を組み合わせて、レッドグリーンＲＧ１、ブルーグリーンＢＧ１、赤色Ｒ１及び青色Ｂ１のスペクトルに基づいて定められる色の範囲をカバーすることができる。
【００３１】
以下、１つの画素が有しない副画素１５の色成分を当該１つの画素に隣接する他の画素が有する副画素１５に割り当てる処理を、サブピクセルレンダリングと記載する。
【００３２】
図８は、第１副画素１１、第３副画素１３及び第４副画素１４を有する画素１０ａと第２副画素１２、第３副画素１３及び第４副画素１４を有する画素１０ｂとによる色再現で行われるサブピクセルレンダリングの一例を示す模式図である。画素１０ａは、第２画素副画素を有していない。このため、ブルーグリーンＢＧ１を用いた色再現が必要な場合には、画素１０ａに隣接している第２副画素１２にブルーグリーンＢＧ１に対応する色成分を割り当てる。具体的には、例えば黄色のように、第１副画素１１と、第２副画素１２と、第３副画素１３とを用いて再現する必要がある色の再現時に、このようなサブピクセルレンダリングが行われる。上述の図５、図６を参照した説明の通り、黄色の輝度及び彩度を確保するためには、より大きな領域で、より光の透過効率が高いカラーフィルタを有する副画素１５を用いることが望ましい。このため、サブピクセルレンダリングによって他の画素が有する副画素１５（例えば、画素１０ａに隣接している第２副画素１２）に色成分を割り当てる。これにより、色再現に用いられる領域をより大きな領域とするとともに、より光の透過効率が高いカラーフィルタを有する副画素１５を用いて黄色を再現することができる。すなわち、サブピクセルレンダリングによって、黄色のような輝度及び彩度の要求が高い色についても、再現性を確保することができる。
【００３３】
１つの画素分の入力階調値が示す色に含まれる緑色の成分（Ｇ）うち、レッドグリーンＲＧ１に割り当てる割合とブルーグリーンＢＧ１に割り当てる割合との関係を決める条件は、複数ある。１つは、当該画素の入力階調値のうち、緑色の成分（Ｇ）以外の成分である赤色の成分（Ｒ）及び青色の成分（Ｂ）の比率である。１つは、レッドグリーンＲＧ１により再現される赤色成分の強さとブルーグリーンＢＧ１により再現される青色成分の強さである。１つは、第１副画素１１、第２副画素１２、第３副画素１３及び第４副画素１４の各々のＸ−Ｙ平面の面積比率である。ただし、以下の説明では、説明の単純化を目的として、緑色の成分（Ｇ）として入力された階調値に応じた緑色成分がレッドグリーンＲＧ１とブルーグリーンＢＧ１に等しく割り当てられる場合を例示する。
【００３４】
図８では、画素１０ａに対してＹ方向に隣接している２つの第２副画素１２のうち一方（上方）への色成分の割り当てを矢印ＳＰＲ１ａで示している。また、画素１０ａに対してＹ方向に隣接している２つの第２副画素１２のうち他方（下方）への色成分の割り当てを矢印ＳＰＲ１ｂで示している。画素１０ａに対してＹ方向に隣接している２つの第２副画素１２の両方を用いる場合、当該２つの第２副画素１２には、画素１０ａの入力階調値が示す色に含まれる緑色の成分（Ｇ）のうち、１／４ずつがそれぞれ割り当てられる。また、第２副画素１２の片方を用いる場合、この第２副画素１２には、画素１０ａの入力階調値が示す色に含まれる緑色の成分（Ｇ）のうち１／２が割り当てられる。いずれの場合も、残り１／２が画素１０ａの第１副画素１１に割り当てられる。
【００３５】
また、図８では、画素１０ｂに対してＹ方向に隣接している２つの第１副画素１１のうち一方（上方）への色成分の割り当てを矢印ＳＰＲ２ａで示している。また、画素１０ｂに対してＹ方向に隣接している２つの第１副画素１１のうち他方（下方）への色成分の割り当てを矢印ＳＰＲ２ｂで示している。画素１０ｂに対してＹ方向に隣接している２つの第１副画素１１の両方を用いる場合、当該２つの第１副画素１１には、画素１０ｂの入力階調値が示す色に含まれる緑色の成分（Ｇ）のうち、１／４ずつがそれぞれ割り当てられる。また、第１副画素１１の片方を用いる場合、この１つの第１副画素１１は、画素１０ｂの入力階調値が示す色に含まれる緑色の成分（Ｇ）のうち１／２が割り当てられる。いずれの場合も、残り１／２が画素１０ｂの第２副画素１２に割り当てられる。各副画素１５は、割り当てられた色成分に応じて駆動される。
【００３６】
サブピクセルレンダリングにおいて、Ｙ方向に隣接している２つの副画素１５の両方を用いる場合、色の割り当て元になる１つの画素の副画素行を中心としてＹ方向に（上下に）均等に色成分が割り当てられる。すなわち、色の割り当て元になる１つの画素を基準として、他の画素の位置に偏って色成分が割り振られることがない。このため、サブピクセルレンダリングが行われ、当該画素のみならず周囲の画素を用いて当該画素の色表現がなされている場合でも、当該色の重心が当該画素からずれることがない。図８では、この場合の画素１０ａの色の重心１７ａと、画素１０ｂの色の重心１７ｂとを模式的に示している。一方、色の割り当て元になる１つの画素の副画素行と、当該副画素行を挟んでＹ方向に隣接する副画素行を含む３行分の副画素行に対する入力階調値を保持する必要がある。
【００３７】
また、サブピクセルレンダリングにおいて、Ｙ方向に隣接している２つの副画素１５の片方のみを用いる場合、色の重心が当該画素から当該片方の副画素１５側にずれる。一方、入力階調値の保持は、色の割り当て元になる１つの画素の副画素行と、当該副画素行に隣接する副画素行を含む２行分で足りる。
【００３８】
サブピクセルレンダリングにおける色の重心（例えば色の重心１７ａ，１７ｂ）のずれは、１つの画素（例えば画素１０ａ，１０ｂ）に含まれない色成分が当該１つの画素に割り当てられるような入力階調値によって生じる。言い換えれば、入力階調値に対応した再現色を１つの画素で再現することができる場合、色の重心のずれは生じない。
【００３９】
図３では、第１副画素１１、第２副画素１２、第３副画素１３及び第４副画素１４の形状及び面積が同じである場合を例示しているが、これは図３に示す副画素１５の並びにおける副画素１５の形状及び大きさの一例であってこれに限られるものでない。カラーフィルタ２０の色が異なる副画素１５の形状、面積は、副画素１５の一部又は全部で異なっていてもよい。その場合、面積は、例えば反射型の表示装置で意図した色再現に基づいて決定される。例えば、第３副画素１３及び第４副画素１４を、第１副画素１１及び第２副画素１２より大きくしてもよい。この場合、第３副画素１３及び第４副画素１４は、第１副画素１１及び第２副画素１２よりもカラーフィルタ２０及び反射電極４０（図１参照）の面積が大きくなる。色の異なる副画素１５の面積比は、例えば各副画素１５が有する反射電極４０の面積比とされる。各副画素１５が有するカラーフィルタ２０の面積比は、後述するブラックマトリクス２３による影響で必ずしも反射電極４０の面積比率と同一にならないことがあるが、大小関係については反射電極４０の面積比が示す大小関係と同様の関係となる。
【００４０】
図９は、図３とは異なる副画素１５の形状及び位置関係並びに副画素１５の各々が有するカラーフィルタ２０の一例を示す図である。図９に示す例では、１つの第１副画素１１Ａと１つの第３副画素１３Ａは、Ｘ方向に隣接する。また、１つの第２副画素１２Ａと１つの第４副画素１４Ａは、Ｘ方向に隣接する。また、当該１つの第１副画素１１Ａと当該１つの第２副画素１２Ａは、Ｙ方向に隣接する。また、第１副画素１１Ａと第３副画素１３Ａは、Ｙ方向に隣接しない。また、第１副画素１１Ａと第４副画素１４Ａは、Ｙ方向に隣接しない。また、第２副画素１２Ａと第３副画素１３Ａは、Ｙ方向に隣接しない。また、第２副画素１２Ａと第４副画素１４Ａは、Ｙ方向に隣接しない。第１副画素１１Ａ、第２副画素１２Ａ、第３副画素１３Ａ及び第４副画素１４Ａに関するこれらの位置関係は、図３に示す第１副画素１１、第２副画素１２、第３副画素１３及び第４副画素１４に関する位置関係と同様である。また、図９に示す例では、第１副画素１１Ａ、第２副画素１２Ａ、第３副画素１３Ａ、第４副画素１４Ａのうち３つを組み合わせた領域が正方形状である。具体的には、Ｘ方向に連続する３つの副画素１５を組み合わせた領域が正方形状である。このような正方形状の領域に含まれる複数の副画素１５を１つの画素とするようにしてもよい。
【００４１】
一方、図９に示す例では、図３に示す例と異なり、当該１つの第１副画素１１Ａと他の２つの第２副画素１２Ａは、Ｘ方向に隣接する。また、当該１つの第３副画素１３Ａと当該１つの第４副画素１４Ａは、Ｙ方向に隣接する。また、第１副画素１１Ａと第４副画素１４Ａは、Ｘ方向に隣接しない。また、第２副画素１２Ａと第３副画素１３Ａは、Ｘ方向に隣接しない。また、第３副画素１３Ａと第４副画素１４Ａは、Ｘ方向に隣接しない。
【００４２】
図９に示す例では、画素行において、第３副画素１３Ａ、第１副画素１１Ａ、第２副画素１２Ａ、第４副画素１４Ａ、第２副画素１２Ａ、第１副画素１１Ａの並びが繰り返される。また、第３副画素１３Ａと第４副画素１４Ａとが交互に並ぶ画素列と、第１副画素１１Ａと第２副画素１２Ａとが交互に並ぶ画素列と、第２副画素１２Ａと第１副画素１１Ａとが交互に並ぶ画素列と、第４副画素１４Ａと第３副画素１３Ａとが交互に並ぶ画素列と、がＸ方向に並ぶ。
【００４３】
図９に示す例では、第３副画素１３Ａ及び第４副画素１４Ａが第１副画素１１Ａ及び第２副画素１２Ａよりも大きい。具体的には、図９に示す例では、第１副画素１１Ａ及び第２副画素１２ＡのＸ方向の幅が第３副画素１３Ａ及び第４副画素１４Ａより小さい。ただし、反射型の表示装置全体における第１副画素１１Ａ及び第２副画素１２Ａの数が第３副画素１３Ａ及び第４副画素１４Ａよりも多い（例えば２倍である）。このように、異なる色のカラーフィルタ２０が設けられた副画素１５の各々の数と面積とを組み合わせて、反射型の表示装置全体で色のバランスを取るようにしてもよい。図９に示す第１のカラーフィルタ２０ＲＧ２，第２のカラーフィルタ２０ＢＧ２，第３のカラーフィルタ２０Ｒ２，第４のカラーフィルタ２０Ｂ２の特性は、図３に示す第１のカラーフィルタ２０ＲＧ１，第２のカラーフィルタ２０ＢＧ１，第３のカラーフィルタ２０Ｒ１，第４のカラーフィルタ２０Ｂ１の特性と同じであってもよいし、異なっていてもよい。異なる色の副画素１５の面積比率が図３に示す例と図９に示す例とで同じであり、再現可能な色の範囲を同じにしたい場合、カラーフィルタ２０の特性は同じであってよい。異なる色の副画素１５の面積比率が図３に示す例と図９に示す例とで異なる場合、再現可能な色の範囲を異ならせたい場合等においては、異なる特性のカラーフィルタ２０が採用される。
【００４４】
図１０は、第１副画素１１Ａ、第２副画素１２Ａ及び第３副画素１３Ａを有する画素１０ｃと第１副画素１１Ａ、第２副画素１２Ａ及び第４副画素１４Ａを有する画素１０ｄとによる色再現で行われるサブピクセルレンダリングの一例を示す模式図である。図１０に示す例では、サブピクセルレンダリングにおいて画素１０ｃがＸ方向に隣接する第４副画素１４Ａに色を割り当て、画素１０ｄがＸ方向に隣接する第３副画素１３Ａに色を割り当てる。このため、図１０に示す例では、色の割り当てを必要とする入力階調値が入力された場合、画素１０ｃ，１０ｄの色の重心１７ｃ，１７ｄがＸ方向にずれる。ただし、Ｙ方向への色の重心１７ｃ，１７ｄのずれは生じない。このため、色の重心のずれが画像の印象に与える影響は極めて小さい。また、入力階調値の保持は、色の割り当て元になる１つの画素の副画素行を含む１行分で足りる。
【００４５】
図１１は、図３及び図９とは異なる副画素１５の形状及び位置関係並びに副画素１５の各々が有するカラーフィルタ２０の一例を示す図である。図１１に示す例では、１つの第１副画素１１Ｂと１つの第３副画素１３Ａは、Ｘ方向に隣接する。また、１つの第２副画素１２Ｂと１つの第４副画素１４Ａは、Ｘ方向に隣接する。また、当該１つの第１副画素１１Ｂと当該１つの第２副画素１２Ｂは、Ｙ方向に隣接する。また、第１副画素１１Ｂと第３副画素１３Ａは、Ｙ方向に隣接しない。また、第１副画素１１Ｂと第４副画素１４Ａは、Ｙ方向に隣接しない。また、第２副画素１２Ｂと第３副画素１３Ａは、Ｙ方向に隣接しない。また、第２副画素１２Ｂと第４副画素１４Ａは、Ｙ方向に隣接しない。第１副画素１１Ｂ、第２副画素１２Ｂ、第３副画素１３Ａ及び第４副画素１４Ａに関するこれらの位置関係は、図３に示す第１副画素１１、第２副画素１２、第３副画素１３及び第４副画素１４に関する位置関係と同様である。
【００４６】
また、図１１に示す例では、当該１つの第１副画素１１Ｂと当該１つの第４副画素１４Ａは、Ｘ方向に隣接する。また、当該１つの第２副画素１２Ｂと当該１つの第３副画素１３Ａは、Ｘ方向に隣接する。また、第１副画素１１Ｂと第２副画素１２Ｂは、Ｘ方向に隣接しない。
【００４７】
一方、図１１に示す例では、図３に示す例と異なり、第３副画素１３Ａと第４副画素１４Ａは、Ｘ方向に隣接しない。また、図１１に示す例では、第１副画素１１Ｂ、第２副画素１２Ｂ、第３副画素１３Ａ、第４副画素１４Ａのうち３つを組み合わせた領域が正方形状である。具体的には、Ｙ方向に隣接する第３副画素１３Ｂ、第４副画素１４Ｂと、当該第３副画素１３Ｂ及び当該第４副画素１４Ｂと隣接する第１副画素１１Ａ又は第２副画素１２Ａのいずれか一方とを組み合わせた領域が正方形状である。このような正方形状の領域に含まれる複数の副画素１５を１つの画素とするようにしてもよい。
【００４８】
第３副画素１３Ａ及び第４副画素１４Ａは、第１副画素１１Ｂ及び第２副画素１２Ｂより大きい。図１１に示す例では、第１副画素１１Ｂ及び第２副画素１２ＢのＹ方向の幅が第３副画素１３Ａ及び第４副画素１４Ａより小さい。ただし、反射型の表示装置全体における第１副画素１１Ｂ及び第２副画素１２Ｂの数が第３副画素１３Ａ及び第４副画素１４Ａよりも多い（例えば２倍である）。また、Ｙ方向に隣接する１つずつの第１副画素１１Ｂと第２副画素１２Ｂとを合わせたＹ方向の幅が１つの第３副画素１３Ａ及び１つの第４副画素１４Ａと同じである。
【００４９】
図１１に示す例は、図９において第１副画素１１Ａ及び第２副画素１２Ａが配置されていた領域に、第１副画素１１Ａ及び第２副画素１２Ａと形状が異なる第１副画素１１Ｂ及び第２副画素１２Ｂが配置されている例である。また、第１副画素１１Ａと第１副画素１１Ｂの面積は、実質的に等しい。また、第２副画素１２Ａと第２副画素１２Ｂの面積は、実質的に等しい。従って、図９に示す例と図１１に示す例では、同じ第１のカラーフィルタ２０ＲＧ２，第２のカラーフィルタ２０ＢＧ２，第３のカラーフィルタ２０Ｒ２，第４のカラーフィルタ２０Ｂ２を採用することができる。また、図１１に示す例では、サブピクセルレンダリングにおける色の割り当て先及び色の重心が図９に示す例と同様である。
【００５０】
図１２は、図３、図９及び図１１とは異なる副画素１５の形状及び位置関係並びに副画素１５の各々が有するカラーフィルタ２０の一例を示す図である。図１２に示す例では、１つの第１副画素１１Ｃと１つの第３副画素１３Ｃは、Ｘ方向に隣接する。また、１つの第２副画素１２Ｃと１つの第４副画素１４Ｃは、Ｘ方向に隣接する。また、当該１つの第１副画素１１Ｃと当該１つの第２副画素１２Ｃは、Ｙ方向に隣接する。また、第１副画素１１Ｃと第３副画素１３Ｃは、Ｙ方向に隣接しない。また、第１副画素１１Ｃと第４副画素１４Ｃは、Ｙ方向に隣接しない。また、第２副画素１２Ｃと第３副画素１３Ｃは、Ｙ方向に隣接しない。また、第２副画素１２Ｃと第４副画素１４Ｃは、Ｙ方向に隣接しない。第１副画素１１Ｃ、第２副画素１２Ｃ、第３副画素１３Ｃ及び第４副画素１４Ｃに関するこれらの位置関係は、図３に示す第１副画素１１、第２副画素１２、第３副画素１３及び第４副画素１４に関する位置関係と同様である。
【００５１】
また、図１２に示す例では、当該１つの第１副画素１１Ｃと他の１つの第４副画素１４Ｃは、Ｘ方向に隣接する。また、当該１つの第２副画素１２Ｃと他の１つの第３副画素１３Ｃは、Ｘ方向に隣接する。また、第１副画素１１Ｃと第２副画素１２Ｃは、Ｘ方向に隣接しない。第１副画素１１Ｃ、第２副画素１２Ｃ、第３副画素１３Ｃ及び第４副画素１４Ｃに関するこれらの位置関係は、図３に示す第１副画素１１、第２副画素１２、第３副画素１３及び第４副画素１４に関する位置関係と同様である。
【００５２】
一方、図１２に示す例では、図３に示す例と異なり、第３副画素１３Ｃと第４副画素１４Ｃは、Ｘ方向に隣接しない。また、図１２に示す例では、第１副画素１１Ｃ、第２副画素１２Ｃ、第３副画素１３Ｃ、第４副画素１４ＣのうちＸ方向に隣接する２つを組み合わせた領域が正方形状である。このような正方形状の領域に含まれる複数の副画素１５を１つの画素とするようにしてもよい。
【００５３】
図１２に示す例では、画素行において、第３副画素１３Ｃ、第１副画素１１Ｃ、第４副画素１４Ｃ、第２副画素１２Ｃの並びが繰り返される。また、第３副画素１３Ｃと第４副画素１４Ｃとが交互に並ぶ画素列と、第１副画素１１Ｃと第２副画素１２Ｃとが交互に並ぶ画素列と、第４副画素１４Ｃと第３副画素１３Ｃとが交互に並ぶ画素列と、第２副画素１２Ｃと第１副画素１１Ｃとが交互に並ぶ画素列と、がＸ方向に並ぶ。
【００５４】
図１２では、第１副画素１１Ｃ、第２副画素１２Ｃ、第３副画素１３Ｃ及び第４副画素１４Ｃの形状及び面積が同じである場合を例示しているが、これは図１２に示す副画素１５の並びにおける副画素１５の形状及び大きさの一例であってこれに限られるものでない。
【００５５】
図１２に示す第１のカラーフィルタ２０ＲＧ３，第２のカラーフィルタ２０ＢＧ３，第３のカラーフィルタ２０Ｒ３，第４のカラーフィルタ２０Ｂ３は、図９に示す第１のカラーフィルタ２０ＲＧ２，第２のカラーフィルタ２０ＢＧ２，第３のカラーフィルタ２０Ｒ２，第４のカラーフィルタ２０Ｂ２と同じであってもよいし、異なっていてもよい。
【００５６】
図１３は、第１副画素１１Ｃ及び第３副画素１３Ｃを有する画素１０ｅと第２副画素１２Ｃ及び第４副画素１４Ｃを有する画素１０ｆとによる色再現で行われるサブピクセルレンダリングの一例を示す模式図である。図１３に示す例では、サブピクセルレンダリングにおいて画素１０ｅがＸ方向に隣接する第４副画素１４Ｃに色を割り当て、画素１０ｆがＸ方向に隣接する第３副画素１３Ｃに色を割り当てる。このため、図１３に示す例では、図１０に示す例と同様、色の割り当てを必要とする入力階調値が入力された場合、画素１０ｅ，１０ｆの色の重心１７ｅ，１７ｆがＸ方向にずれる。
【００５７】
また、図１３に示す例では、サブピクセルレンダリングにおいて画素１０ｅとＹ方向に隣接している２つの第２副画素１２Ｃのうち少なくとも一方を用いる。また、図１３に示す例では、サブピクセルレンダリングにおいて画素１０ｆとＹ方向に隣接している２つの第１副画素１１Ｃのうち少なくとも一方を用いる。このため、図３を参照して説明したＹ方向の色の重心１０ａ，１０ｂのずれ及び保持される入力階調値の画素行数に関する事項は、図１３に示す例にもあてはまる。
【００５８】
図１４は、面積階調のために副画素１５を複数の面積領域に区分けした場合の一例を示す図である。第１のカラーフィルタ２０ＲＧ１が設けられた第１副画素１１Ｄは、第１分割画素１１１、第２分割画素１１２及び第３分割画素１１３のように、３つの面積領域を有する。第１分割画素１１１と第２分割画素１１２と第３分割画素１１３の面積比は、例えば１：２：４（＝２０：２１：２２）である。第１分割画素１１１、第２分割画素１１２、第３分割画素１１３の各々の光の透過の有無の組み合わせによって、第１副画素１１Ｄは、３ビット（８階調）の階調性を有する。より具体的には、第１分割画素１１１、第２分割画素１１２、第３分割画素１１３の各々の光の透過の有無の組み合わせパターンによる面積階調を、出力階調の低い方から順に記載すると、「無：無：無」、「有：無：無」、「無：有：無」、「有：有：無」、「無：無：有」、「有：無：有」、「無：有：有」、「有：有：有」となる。なお、副画素１５同士の間には、例えば複数のカラーフィルタ２０同士の間に設けられたブラックマトリクス２３（図１８参照）がある。ブラックマトリクス２３は、例えば黒色のフィルタであってもよいし、隣り合う副画素のカラーフィルタを重ねて重なり部分の透過率を下げた構成であってもよい。ブラックマトリクス２３は、なくてもよい。複数の分割画素による面積階調の比率（例えば１：２：４等）は、あくまで平面視での開口率である。したがって、ブラックマトリクス２３がある場合、面積階調の比率は、ブラックマトリクス２３がない部分である開口部分の比率である。また、ブラックマトリクス２３がない場合、面積階調の比率は、複数の分割画素が有する反射電極４０の面積比率である。反射電極４０の具体的な形状は、１つの副画素１５を分割する具体的な分割形態による。例えば図１４では、第１副画素１１Ｄの矩形の長手方向（Ｙ方向）を５分割するように第３分割画素１１３、第２分割画素１１２、第１分割画素１１１、第２分割画素１１２、第３分割画素１１３が設けられている。１つの副画素１５を分割する具体的な分割形態は、適宜変更可能である。
【００５９】
また、第２のカラーフィルタ２０ＢＧ１が設けられた第２副画素１２Ｄは、第１分割画素１２１、第２分割画素１２２及び第３分割画素１２３のように、複数の分割画素を有する。また、第３のカラーフィルタ２０Ｒ１が設けられた第３副画素１３Ｄは、第１分割画素１３１、第２分割画素１３２及び第３分割画素１３３のように、複数の分割画素を有する。また、第４のカラーフィルタ２０Ｂ１が設けられた第４副画素１４Ｄは、第１分割画素１４１、第２分割画素１４２及び第３分割画素１４３のように、複数の分割画素を有する。第２副画素１２Ｄ、第３副画素１３Ｄ及び第４副画素１４Ｄは、第１副画素１１Ｄと同様の仕組みで面積階調を実現する。
【００６０】
第１副画素１１Ｄ、第２副画素１２Ｄ、第３副画素１３Ｄ、第４副画素１４Ｄはそれぞれ、複数の分割画素を有する点を除いて、上記の第１副画素１１、第２副画素１２、第３副画素１３、第４副画素１４と同様の構成である。
【００６１】
図１４で例示する副画素１５は、それぞれ面積が異なる複数の分割画素に分割されており、副画素１５毎に複数の分割画素の光の透過の有無の組み合わせで階調表現を行う。１つの副画素１５が有する複数の分割画素の数は、２つであってもよいし、４つ以上であってもよい。面積階調における１つの副画素１５の階調性は、複数の分割画素の数（Ｎ）に対応するビット数（Ｎビット）になる。Ｎは、２以上の自然数である。最も小さい分割画素の面積を１とすると、小さい方から数えてｑつ目（ｑビット目）の分割画素の面積は、２（ｑ−１）である。
【００６２】
図９、図１１及び図１２に示す副画素１５を、図１４に示す副画素１５と同様に複数の分割画素に分割してもよい。
【００６３】
以下、本発明の一実施形態による表示装置１が備える構成について、図１５から図２２を参照してより具体的に説明する。図１５から図２２を参照した説明では、複数の分割画素のうち１つを表す記載を「分割画素５０」とする。
【００６４】
図１５は、表示装置１が備える回路構成例を示す図である。図１５に示すＸ方向は、表示装置１の行方向を示し、Ｙ方向は、表示装置１の列方向を示す。図１５に示すように、分割画素５０は、例えば、薄膜トランジスタ（ＴＦＴ）を用いた画素トランジスタ５１と液晶容量５２と保持容量５３とを有する構成となっている。画素トランジスタ５１は、ゲート電極が走査線６２（６２１、６２２、６２３、・・・）に接続され、ソース電極が信号線６１（６１１、６１２、６１３、・・・）に接続されている。
【００６５】
液晶容量５２は、分割画素５０ごとに設けられる反射電極４０と、複数又は全部の反射電極４０に対向して形成される対向電極２２（図１８参照）との間で発生する液晶材料の容量成分をさす。反射電極４０は、画素トランジスタ５１のドレイン電極に接続されている。対向電極２２にはコモン電位ＶＣＯＭが印加されている。コモン電位ＶＣＯＭは、分割画素５０を反転駆動させるために所定周期で反転する電位である（図２０参照）。保持容量５３は、一方の電極が反射電極４０に、他方の電極が対向電極２２と同電位とされている。
【００６６】
列方向に沿う信号線６１と行方向に沿う走査線６２に画素トランジスタ５１が接続されている。分割画素５０は、信号線６１と走査線６２との交差位置に設けられている。信号線６１（６１１、６１２、６１３、・・・）の各一端は、信号出力回路７０の各列に対応した出力端に接続されている。複数の走査線６２（６２１、６２２、６２３、・・・）の各一端は、走査回路８０の各行に対応した出力端に接続されている。複数の信号線６１（６１１、６１２、６１３、・・・）は、分割画素５０を駆動する信号、すなわち、信号出力回路７０から出力される映像信号を画素列毎に分割画素５０に伝送する配線である。また、複数の走査線６２（６２１、６２２、６２３、・・・）は、分割画素５０を行単位で選択する信号、すなわち、走査回路８０から出力される走査信号を画素行毎に伝送する配線である。
【００６７】
信号出力回路７０及び走査回路８０は、信号処理回路１００と接続されている。信号処理回路１００は、各画素ごとのＲＧＢごとの入力階調値を含む入力信号に基づいて４つの副画素１５の各々の階調値（後述する、Ｒ１，ＲＧ，ＢＧ，Ｂ１）を演算する。また、信号処理回路１００は、かかる演算結果を各画素の面積階調信号（Ｒｏ，ＲＧｏ，ＢＧｏ，Ｂｏ）として信号出力回路７０に出力する。信号出力回路７０は、面積階調信号（Ｒｏ，ＲＧｏ，ＢＧｏ，Ｂｏ）を含む映像信号を各分割画素５０に伝送する。また、信号処理回路１００は、信号出力回路７０と走査回路８０の動作を同期させるクロック信号を信号出力回路７０及び走査回路８０に出力する。走査回路８０は、信号出力回路７０からの映像信号と同期して分割画素５０を走査する。なお、信号出力回路７０と信号処理回路１００は、例えば図８に示すように、一つのＩＣチップ１４０に含まれる構成であってもよいし、信号出力回路７０と信号処理回路１００とを個別の回路チップとする構成を採用してもよい。図１５では、ＩＣチップ１４０等の回路チップが第１基板４１の周辺領域ＳＡにChip  On  Glass（ＣＯＧ）を用いて設けられているが、これは回路チップの実装の一例であってこれに限られるものでない。回路チップは、例えば、第１基板４１と接続されているフレキシブルプリント基板（ＦＰＣ：Flexible  Printed  Circuits）にChip  On  Film（ＣＯＦ）を用いて設けられていてもよい。
【００６８】
図１６は、１つの画素が３つの副画素１５を有する構成とする場合のマルチプレクサの例を示す図である。図１７は、１つの画素が２つの副画素１５を有する構成とする場合のマルチプレクサの例を示す図である。図１６、図１７に示す例は、１つの画素が有する副画素１５に対する映像信号を入力端子７０ａに集約し、信号出力回路７０に設けられたマルチプレクサＭＰ１又はマルチプレクサＭＰ２で当該１つの画素が有する副画素１５の分割画素５０に順次切り替えて出力する構成である。例えば、図３、図９、図１１に示すように１つの画素が３つの副画素１５を有する構成が採用される場合、マルチプレクサＭＰ１が採用される。また、図１６に示すように１つの画素が３つの副画素１５を有する構成が採用される場合、マルチプレクサＭＰ２が採用される。信号出力回路７０の具体的構成はこれらに限られるものでなく、適宜変更可能である。信号出力回路７０は、マルチプレクサＭＰ１，ＭＰ２を介さず、副画素１５毎に個別に映像信号を出力する構成であってもよい。
【００６９】
図１８は、分割画素５０の概略断面図である。反射電極４０と対向電極２２とは、液晶層３０を挟んで対向している。反射電極４０は、第１基板４１の表示領域ＯＡに設けられている。具体的には、第１基板４１は、液晶層３０が位置する一面側に、信号線６１等の配線、配線同士及び配線と電極とを絶縁する絶縁層４２が積層されている。反射電極４０は、分割画素５０ごとに形成されている。反射電極４０は、例えば薄膜の銀（Ａｇ）等によるメタル電極であり、光を反射させる電極である。対向電極２２及びカラーフィルタ２０は、第２基板２１の表示領域ＯＡに設けられている。具体的には、第２基板２１は、液晶層３０が位置する一面側にカラーフィルタ２０が設けられている。複数のカラーフィルタ２０同士の間には、ブラックマトリクス２３が設けられている。対向電極２２は、カラーフィルタ２０の一面側に形成された膜状の電極である。対向電極２２は、例えばＩＴＯ（Indium  Tin  Oxide）等を用いて形成された、光を透過させる電極である。なお、第１基板４１及び第２基２１板はガラスや透明樹脂等の光透過性のある材料により形成されている。表示領域ＯＡは、外光ＩＬの入射及び光ＯＬの出射が可能となっている。一方、周辺領域ＳＡは、ブラックマトリクス２３と同様の遮光部材が設けられることで、外光ＩＬの入射及び光ＯＬの出射が不可能となっている。なお、輝度向上を図るべく、ブラックマトリクスを設けない構成も採用可能である。
【００７０】
液晶層３０の液晶分子は第１基板４１、第２基板２１に設けられた図示しない配向膜によって初期配向状態が定められている。初期配向状態においては、液晶分子は光を透過させない。なお、このように液晶層３０に電界を付与しない初期配向状態で光を透過させない状態をノーマリブラックと称する。
【００７１】
図１８に示すカラーフィルタ２０が透過させる光ＯＬのスペクトルのピークは、上記の図３を参照して説明した通り、赤色寄りの緑色のスペクトル、青色寄りの緑色のスペクトル、赤色のスペクトル、青色のスペクトルのいずれかである。
【００７２】
なお、かかる反射型の表示装置には、図１を参照して説明した通り、カラーフィルタ２０を挟んで液晶層３０の反対側に調光層９０が設けられていてもよい。調光層９０は、例えば表示面側に設けられた偏光板９１と、偏光板９１と第２基板２１との間に設けられた散乱層９２とを有する。偏光板９１は、特定方向に偏光した光を透過させることでぎらつきを抑制する。散乱層９２は、反射電極４０に反射された光ＯＬを散乱させる。
【００７３】
本実施形態では、メモリ機能を有するいわゆるＭＩＰ（Memory  In  Pixel）方式の分割画素５０が採用されている。ＭＩＰ方式は、データを記憶するメモリを分割画素５０内に持つことにより、メモリ表示モードによる表示を実現できる。メモリ表示モードとは、分割画素５０内のメモリに記憶されている２値情報（論理“１”／論理“０”）に基づいて、分割画素５０の階調をデジタル的に表示する表示モードである。
【００７４】
図１９は、ＭＩＰ方式を採用した分割画素５０の回路構成の一例を示すブロック図である。図２０は、ＭＩＰ方式を採用した分割画素５０の動作説明に供するタイミングチャートである。図１９に示すように、分割画素５０は、液晶容量（液晶セル）５２に加えて、３個のスイッチング素子５４，５５，５６及びラッチ部５７を有する駆動回路部５８を備える。駆動回路部５８は、ＳＲＡＭ（Static  Random  Access  Memory）機能を備えている。駆動回路部５８を備える分割画素５０は、ＳＲＡＭ機能付きの画素構成となっている。
【００７５】
スイッチング素子５４は、信号線６１に一端が接続されている。スイッチング素子５４は、走査回路８０から走査信号φＶが与えられることによってオン（閉）状態となり、信号出力回路７０から信号線６１を介して供給されるデータＳＩＧを取り込む。ラッチ部５７は、互いに逆向きに並列接続されたインバータ５７１、５７２を有しており、スイッチング素子５４によって取り込まれたデータＳＩＧに応じた電位を保持（ラッチ）する。
【００７６】
スイッチング素子５５，５６の各一方の端子には、コモン電位ＶＣＯＭとは逆相の制御パルスＸＦＲＰ及び同相の制御パルスＦＲＰが与えられる。スイッチング素子５５，５６の各他方の端子は共通に接続され、その共通接続ノードが、出力ノードＮｏｕｔとなる。スイッチング素子５５，５６は、ラッチ部５７の保持電位の極性に応じていずれか一方がオン状態となる。このような動作により、対向電極２２にコモン電位ＶＣＯＭが印加されている液晶容量５２に対して、制御パルスＦＲＰ又は制御パルスＸＦＲＰが反射電極４０に印加される。
【００７７】
ラッチ部５７の保持電位が負側極性の場合、液晶容量５２の画素電位がコモン電位ＶＣＯＭと同相になるため、反射電極４０と対向電極２２との間で電位差が生じない。このため、液晶層３０には電界が発生することはない。したがって、この場合、液晶分子は初期配向状態からツイストすることはなく、ノーマリブラックの状態が維持される。この結果、かかる分割画素５０においては、光を透過しない。一方、ラッチ部５７の保持電位が正側極性の場合、液晶容量５２の画素電位がコモン電位ＶＣＯＭと逆相になるため、反射電極４０と対向電極２２との間に電位差が生じ、液晶層３０に電界が発生する。かかる電界によって液晶分子は初期配向状態からツイストして向きを変える。これによって、当該分割画素５０では光が透過する（透過状態）。このように、表示装置１は、階調表現に応じた電位を保持する保持部（ラッチ部５７）が複数の分割画素５０の各々に設けられている。
【００７８】
各分割画素５０は、ラッチ部５７の保持電位の極性に応じてスイッチング素子５５，５６のいずれか一方がオン状態となることで、液晶容量５２の反射電極４０に対して、制御パルスＦＲＰ又は制御パルスＸＦＲＰが印加される。これによって、当該分割画素５０の光透過のオン／オフが制御される。
【００７９】
本例では、分割画素５０が内蔵するメモリとしてＳＲＡＭを用いる場合を例に挙げて説明したが、ＳＲＡＭは一例に過ぎず、他のメモリ、例えばＤＲＡＭ（Dynamic  Random  Access  Memory）を用いる構成を採るようにしてもよい。
【００８０】
図２１は、信号処理回路の構成例を示すブロック図である。信号処理回路１００は、第１処理部１１０と、第２処理部１２０と、ルックアップテーブル（ＬＵＴ：Look  Up  Table）１１５と、バッファ１２５とを有する。第１処理部１１０は、入力階調値に基づいて、４つの副画素１５の各々の階調値（Ｒ１，ＲＧ，ＢＧ，Ｂ１）を特定する。ここで、４つの副画素１５の各々の階調値（Ｒ１，ＲＧ，ＢＧ，Ｂ１）のうち、「ＲＧ」の階調値は、レッドグリーンＲＧ１の階調値である。すなわち、「ＲＧ」は、第１副画素が有する第１のカラーフィルタが透過させる光のスペクトルのピークに対応する。また、「ＢＧ」の階調値は、ブルーグリーンＢＧ１の階調値である。すなわち、「ＢＧ」は、第２副画素が有する第２のカラーフィルタが透過させる光のスペクトルのピークに対応する。また、「Ｒ１」の階調値は、例えば赤色（Ｒ１）の階調値である。すなわち、「Ｒ１」は、第３副画素が有する第３のカラーフィルタが透過させる光のスペクトルのピークに対応する。また、「Ｂ１」の階調値は、例えば青色（Ｂ１）の階調値である。すなわち、「Ｂ１」は、第４副画素が有する第４のカラーフィルタが透過させる光のスペクトルのピークに対応する。
【００８１】
ＬＵＴ１１５は、ＲＧＢの階調値に対して予め定められた４つの副画素１５の各々の階調値を示す情報を含むテーブルデータである。以下、ＬＵＴ１１５が図３に示す第１副画素１１、第２副画素１２、第３副画素１３及び第４副画素１４の各々の階調値を決定するためのＬＵＴである場合について例示する。第１処理部１１０は、ＬＵＴ１１５を参照して、入力階調値に対応する（Ｒ１，ＲＧ１，ＢＧ１，Ｂ１）を特定する。例えば、図４に示すように、入力階調値が（Ｒ，Ｇ，Ｂ）＝（ｎ，ｎ，ｎ）である場合、第１処理部１１０は、ＬＵＴ１１５を参照して、（Ｒ１，ＲＧ１，ＢＧ１，Ｂ１）＝（ｎ１，ｎ２，ｎ３，ｎ４）を特定する。（ｎ１，ｎ２，ｎ３，ｎ４）は、第１副画素１１、第２副画素１２、第３副画素１３及び第４副画素１４の各々の色で（Ｒ，Ｇ，Ｂ）＝（ｎ，ｎ，ｎ）に対応する色を再現するための階調値である。入力階調値が他の階調値である場合も同様である。入力階調値が（Ｒ，Ｇ，Ｂ）＝（ｎ，０，０）である場合、第１処理部１１０は、（Ｒ１，ＲＧ１，ＢＧ１，Ｂ１）＝（ｎ，０，０，０）を特定する。入力階調値が（Ｒ，Ｇ，Ｂ）＝（０，ｎ，０）である場合、第１処理部１１０は、（Ｒ１，ＲＧ１，ＢＧ１，Ｂ１）＝（０，ｎ５，ｎ６，０）を特定する。入力階調値が（Ｒ，Ｇ，Ｂ）＝（０，０，ｎ）である場合、第１処理部１１０は、（Ｒ１，ＲＧ１，ＢＧ１，Ｂ１）＝（０，０，０，ｎ）を特定する。入力階調値が（Ｒ，Ｇ，Ｂ）＝（ｍ，ｍ，０）である場合、第１処理部１１０は、（Ｒ１，ＲＧ１，ＢＧ１，Ｂ１）＝（ｍ１，ｍ２，ｍ３，０）を特定する。入力階調値が（Ｒ，Ｇ，Ｂ）＝（０，ｍ，ｍ）である場合、第１処理部１１０は、（Ｒ１，ＲＧ１，ＢＧ１，Ｂ１）＝（０，ｍ４，ｍ５，ｍ６）を特定する。入力階調値が（Ｒ，Ｇ，Ｂ）＝（ｍ，０，ｍ）である場合、第１処理部１１０は、（Ｒ１，ＲＧ１，ＢＧ１，Ｂ１）＝（ｍ７，０，０，ｍ８）を特定する。
【００８２】
信号処理回路１００に入力される入力階調値は、バッファ１２５に記憶されて保持される。バッファ１２５は、入力画像を構成する全部又は一部の画素領域に対する入力階調値を記憶する。第１処理部１１０は、特定された第１副画素１１、第２副画素１２、第３副画素１３及び第４副画素１４の各々の階調値に対して、上記の図８、図１０、図１３を参照して説明したサブピクセルレンダリングを適用し、各画素を構成する副画素１５の階調値を補正する。
【００８３】
第２処理部１２０は、４つの副画素１５の各々の階調値（Ｒ１，ＲＧ，ＢＧ，Ｂ１）（例えば、（Ｒ１，ＲＧ１，ＢＧ１，Ｂ１）に対応した複数の分割画素の各々に対する面積階調信号（Ｒｏ，ＲＧｏ，ＢＧｏ，Ｂｏ）を信号出力回路７０に出力する。例えば、第１処理部１１０が特定した（Ｒ１，ＲＧ１，ＢＧ１，Ｂ１）の各々の色の階調値が８ビットの数値（０から２５５）であった場合、第２処理部１２０は、当該８ビットの数値を２Ｎに区分してＮビットの階調値に変換する。例えば、Ｎ＝３であった場合、Ｎビットの階調値（０から７）と８ビットの数値が取り得る階調値（０から２５５）との対応関係は、０：０から３１、１：３２から６３、２：６４から９５、３：９６から１２７、４：１２８から１５９、５：１６０から１９１、６：１９２から２２３、７：２２４から２５５のように区分される。なお、この区分例は、階調値にガンマ補正を施さない０〜１．０までのリニア空間に相当する階調値を前提とした例である。ガンマ補正を施した場合、区分は変わることがある。第２処理部１２０は、このような対応関係に応じて、（Ｒ１，ＲＧ１，ＢＧ１，Ｂ１）の各々の色の階調値が８ビットの数値をＮビットの階調値に変換する。例を挙げると、第２処理部１２０は、（Ｒ１，ＲＧ１，ＢＧ１，Ｂ１）＝（１０，１００，２００，２５５）を、面積階調信号（Ｒｏ，ＲＧｏ，ＢＧｏ，Ｂｏ）＝（０，４，６，７）に変換して信号出力回路７０に出力する。これによって、入力された階調値に対応する面積階調表現が行われる。
【００８４】
図２２は、複数の表示装置１Ａ，１Ｂが並べられた場合の外光ＩＬと、反射光ＯＬ１，ＯＬ２，ＯＬ３，ＯＬ４と、ユーザの視点Ｈ１，Ｈ２との関係の一例を示す模式図である。複数の表示装置１Ａ，１Ｂはそれぞれ、本発明の実施形態による反射型の表示装置（例えば、表示装置１）である。反射光ＯＬ１，ＯＬ２，ＯＬ３，ＯＬ４は、それぞれ出射角度が異なる光ＯＬである。例えば図２２に示すように、複数の表示装置１Ａ，１Ｂが並べられた場合、表示装置１Ａ，１Ｂに対する入射光ＩＬの入射角度が同じであっても、あるユーザの視点Ｈ１に対する表示装置１Ａからの反射光ＯＬ１と、表示装置１Ｂからの反射光ＯＬ２のように、それぞれの表示装置１Ａ，１Ｂから出射角度が異なる光ＯＬが視認されることがある。また、ユーザの視点Ｈ１とユーザの視点Ｈ２のどちらを想定するかによって、ユーザに視認される表示装置１Ａからの光ＯＬが反射光ＯＬ１と反射光ＯＬ２のいずれになるかが変わる。同様に、ユーザの視点Ｈ１とユーザの視点Ｈ２のどちらを想定するかによって、表示装置１Ｂからの光ＯＬが反射光ＯＬ３と反射光ＯＬ４のいずれになるかが変わる。このように、ユーザに視認される光ＯＬの出射角度は、表示装置１Ａ，１Ｂの設置条件、想定するユーザの視点等の諸条件に応じて変わり得る。そこで、本発明の特徴を逸脱しない範囲で、表示装置１Ａと表示装置１Ｂとを異ならせてもよい。例えば、表示装置１Ａ，１Ｂのいずれか一方を図３、図９、図１１、図１２のいずれか１つに示すような構成とし、他方を図３、図９、図１１、図１２の他の１つに示すような構成としてもよい。また、表示装置１ＡのＬＵＴ１１５における入力（ＲＧＢの階調値）と（Ｒ１，ＲＧ，ＢＧ，Ｂ１）との対応関係と、表示装置１ＢのＬＵＴ１１５における入力（ＲＧＢの階調値）と（Ｒ１，ＲＧ，ＢＧ，Ｂ１）との対応関係とを異ならせてもよい。
【００８５】
なお、分割階調及びメモリ機能を採用せず、分割画素５０を有しない副画素１５の反射電極４０と対向電極２２との電位差を階調値に応じてアナログ的に変化させるようにしてもよい。この場合、第２処理部１２０による処理は省略される。分割画素５０を有しない副画素１５の構成は、分割画素５０と同様であり、反射電極４０の面積及びブラックマトリクス２３で区切られる開口部の大きさが分割画素５０より大きくなる。
【００８６】
以上説明したように、本実施形態によれば、第１副画素は、ピークが赤色寄りの緑色のスペクトルである第３のカラーフィルタを有する。また、第２副画素は、ピークが青色寄りの緑色のスペクトルである第４のカラーフィルタを有する。また、第３副画素は、ピークが赤色のスペクトルである第１のカラーフィルタを有する。また、第４副画素は、ピークが青色のスペクトルである第２のカラーフィルタを有する。これによって、黄色の輝度及び彩度をより高めることができ、求められる黄色（例えば、黄色Ｙ）の輝度及び彩度を得られる。
【００８７】
また、本実施形態で共通する副画素１５の位置関係とすることで、１つの画素に全ての色の副画素１５を含めずとも、マトリクス状に配置された副画素１５の組み合わせによって１つの画素の領域内に収まる色の重心としたうえで白色を含む再現色を得られる。すなわち、第１副画素と第３副画素がＸ方向に隣接し、第２副画素と第４副画素がＸ方向に隣接し、第１副画素と第２副画素がＹ方向に隣接し、第１副画素と第３副画素がＹ方向に隣接せず、第１副画素と第４副画素がＹ方向に隣接せず、第２副画素と第３副画素がＹ方向に隣接せず、第２副画素と第４副画素がＹ方向に隣接しない位置関係によって、色の重心のずれを抑制しつつ１つの画素の副画素１５の数をより少なくすることができる。すなわち、１つの画素に含まれるブラックマトリクス２３や反射電極４０に設けられるコンタクトホール等、画素の反射率に寄与しない構成をより少なくすることができる。従って、反射型の表示装置により表示される画像の明るさをより高めやすくなる。
【００８８】
また、図９に例示するように、第１副画素１１Ａと第２副画素１２ＡがＸ方向に隣接し、第３副画素１３Ａと第４副画素１４ＡがＹ方向に隣接し、第１副画素１１Ａと第４副画素１４ＡがＸ方向に隣接せず、第２副画素１２Ａと第３副画素１３ＡがＸ方向に隣接せず、第３副画素１３Ａと第４副画素１４ＡがＸ方向に隣接しない構成では、サブピクセルレンダリングにおけるＹ方向の色の重心１０ｃ，１０ｄのずれを抑制することができる。
【００８９】
また、第１副画素と、第２副画素との組み合わせで緑色を再現する。これによって、１つの画素が有する表示領域のうち第１副画素と第２副画素を合わせたより広いカラーフィルタ及び反射電極を緑色の再現に割り当てることができる。
【００９０】
さらに、図９、図１１、図１３に示す例のように、Ｘ方向について第３副画素と第４副画素とを互い違いにして配置し、第３副画素と第４副画素の間に第１副画素及び第２副画素が配置されるようにすることで、黄色を再現する際に用いられる副画素の面積をより大きくすることができる。このため、黄色をより鮮やかにしやすくなる。
【００９１】
さらに、複数の分割画素による面積階調を行うことで、より低消費電力で動作可能な反射型の表示装置を提供することができる。
【００９２】
さらに、階調表現に応じた電位を保持する保持部が複数の分割画素の各々に設けられていることで、反射型の表示装置の消費電力をより低減することができる。
【００９３】
本実施形態において述べた態様によりもたらされる他の作用効果について本明細書記載から明らかなもの、又は当業者において適宜想到し得るものについては、当然に本発明によりもたらされるものと解される。
【符号の説明】
【００９４】
１０ａ，１０ｂ，１０ｃ，１０ｄ，１０ｅ，１０ｆ  画素
１１，１１Ａ，１１Ｂ，１１Ｃ，１１Ｄ  第１副画素
１２，１２Ａ，１２Ｂ，１２Ｃ，１２Ｄ  第２副画素
１３，１３Ａ，１３Ｃ，１３Ｄ  第３副画素
１４，１４Ａ，１４Ｃ，１４Ｄ  第４副画素
１５  副画素
２０  カラーフィルタ
２０ＲＧ１，２０ＲＧ２，２０ＲＧ３  第１のカラーフィルタ
２０ＢＧ１，２０ＢＧ２，２０ＢＧ３  第２のカラーフィルタ
２０Ｒ１，２０Ｒ２，２０Ｒ３  第３のカラーフィルタ
２０Ｂ１，２０Ｂ２，２０Ｂ３  第４のカラーフィルタ
２１  第２基板
２２  対向電極
３０  液晶層
４０  反射電極
４１  第１基板
５４，５５，５６  スイッチング素子
５７  ラッチ部
５８  駆動回路部
６１  信号線
６２  走査線
７０  信号出力回路
８０  走査回路
９０  調光層
９１  偏光板
９２  散乱層
１００  信号処理回路
１１０  第１処理部
１１５  ＬＵＴ
１２０  第２処理部
ＭＰ１，ＭＰ２  マルチプレクサ
ＲＧ１  レッドグリーン
ＢＧ１  ブルーグリーン
Ｒ１  赤色
Ｂ１  青色
【図１】
2019090916.tif 000003
【図２】
2019090916.tif 000004
【図３】
2019090916.tif 000005
【図４】
2019090916.tif 000006
【図５】
2019090916.tif 000007
【図６】
2019090916.tif 000008
【図７】
2019090916.tif 000009
【図８】
2019090916.tif 000010
【図９】
2019090916.tif 000011
【図１０】
2019090916.tif 000012
【図１１】
2019090916.tif 000013
【図１２】
2019090916.tif 000014
【図１３】
2019090916.tif 000015
【図１４】
2019090916.tif 000016
【図１５】
2019090916.tif 000017
【図１６】
2019090916.tif 000018
【図１７】
2019090916.tif 000019
【図１８】
2019090916.tif 000020
【図１９】
2019090916.tif 000021
【図２０】
2019090916.tif 000022
【図２１】
2019090916.tif 000023
【図２２】
2019090916.tif 000024